(57)【要約】【課題】本発明は、投影画面のコントラストを大幅に向上できるプロジェクターのコントラスト強化システム及びその強化方法を提供することである。【解決手段】本発明に係るプロジェクターのコントラスト強化システムは、光源、色分離装置及び光シャッタを有するプロジェクターに用いられ、投影画面のグレースケールを検出するために用いられ、グレースケールは、暗部が全部の投影画面に占める百分率である検出モジュールと、投影画面のグレースケールが設定値より大きいか又は設定値と等しければ、プロジェクターをコントロールして光源の出力パワーを低減するコントロールモジュールと、光源の出力効率が低減されてから、光源の動作周波数を変調して、光源の非白色ウエーブ・バンドの利得を向上し、且つ色分離装置が出射する光を非白色光にさせるとともに、光シャッタを制御して、プロジェクターのレンズに入射する光量を減少させて、プロジェクターが全黒色の画面を投影する時の輝度を下げ、コントラストを向上する変調モジュールとを備える。【選択図】図１
2011227487.tif 000002
【特許請求の範囲】
【請求項１】
光源、色分離装置及び光シャッタを有するプロジェクターに用いられ、コントラストは、前記プロジェクターが全白色の画面を投影する時の輝度と全黒色の画面を投影する時の輝度との比であり、前記光源から出射する光は、主に白光であり、且つ前記色分離装置を通した後、前記光シャッタによって前記プロジェクターのレンズに入射する光量をコントロールするプロジェクターのコントラスト強化システムであって、
暗部及び明部を備える投影画面のグレースケールを検出するために用いられ、前記グレースケールは、暗部が全部の投影画面に占める百分率である検出モジュールと、
投影画面のグレースケールが設定値より大きいか又は設定値と等しければ、前記プロジェクターをコントロールして光源の出力パワーを低減するコントロールモジュールと、
光源の出力効率が低減されてから、光源の動作周波数を変調して、光源の非白色ウエーブ・バンドの利得を向上し、且つ色分離装置が出射する光を非白色光にさせるとともに、光シャッタを制御して、前記プロジェクターのレンズに入射する光量を減少させて、前記プロジェクターが全黒色の画面を投影する時の輝度を下げ、コントラストを向上する変調モジュールと、
を備えることを特徴とするプロジェクターのコントラスト強化システム。
【請求項２】
前記プロジェクターは、標準モード及び節約モードを備え、前記標準モードでは、グレースケールが前記設定値より小さく、前記節約モードでは、グレースケールが前記設定値より大きいか又は設定値と等しく、光源の出力パワーが低減される場合、プロジェクターは節約モードで動作することを特徴とする請求項１に記載のプロジェクターのコントラスト強化システム。
【請求項３】
投影画面のグレースケールが前記設定値より小さければ、前記コントロールモジュールは、光源の出力パワーを保持し、前記プロジェクターを標準モードで動作させ、前記変調モジュールは、標準モードで光シャッタを制御して、前記プロジェクターのレンズに入射する光量を増大させることによって全白色画面を投影することを特徴とする請求項２に記載のプロジェクターのコントラスト強化システム。
【請求項４】
前記プロジェクターのコントラスト強化システムは、前記全白色画面及び前記全黒色画面の輝度値に基づいて投影画面のコントラストを計算するために用いられるコントラスト計算モジュールを更に備えることを特徴とする請求項３に記載のプロジェクターのコントラスト強化システム。
【請求項５】
前記プロジェクターのコントラスト強化システムは、前記コントラスト計算モジュールが計算したコントラストを表示するために用いられる表示モジュールを更に備えることを特徴とする請求項４に記載のプロジェクターのコントラスト強化システム。
【請求項６】
光源、色分離装置及び光シャッタを有するプロジェクターに用いられ、コントラストとは、前記プロジェクターが全白色の画面を投影する時の輝度と全黒色の画面を投影する時の輝度との比であり、前記光源から出射する光は、主に白光であり、且つ前記色分離装置を通した後、前記光シャッタによって前記プロジェクターのレンズに入射する光量をコントロールするプロジェクターのコントラスト強化方法は、
暗部及び明部を備える投影画面のグレースケールを検出し、前記グレースケールが暗部が全部の投影画面に占める百分率であるステップと、
投影画面のグレースケールが設定値より大きいか又は設定値と等しければ、光源の出力パワーを低減するステップと、
光源の出力パワーが低減されてから、光源の動作周波数を変調し、光源の非白色ウエーブ・バンドの利得を向上し、白色ウエーブ・バンドの利得を低減して、色分離装置から出射する光を非白色光にさせるとともに、前記光シャッタを制御して、前記プロジェクターのレンズに入射する光量を減少させて、前記プロジェクターが全黒色の画面を投影する時の輝度を下げ、コントラストを向上するステップと、
を備えることを特徴とするプロジェクターのコントラスト強化方法。
【発明の詳細な説明】
【技術分野】
【０００１】
本発明は、プロジェクターのコントラスト強化システム及びその強化方法に関するものである。
【背景技術】
【０００２】
科学技術の進歩に伴って、ユーザは、プロジェクターの投影画面のコントラストに対する要求もますます高くなる。
【０００３】
コントラストを向上するために、テキサスインスツルメンツ（ＩＴ）会社は、ダイナミックブラック（Ｄｙｎａｍｉｃｂｌａｃｋ）技術を開発した。この技術の原理は、暗い投影画面に対して、光源の前方に設置されている光シャッタ構造を制御することによって、光学システムに入射する光量を減少し、明るい投影画面に対して、光学システムに入射する光量を最大にして、投影画面の最終のコントラストが向上される。また、オスラム会社（Ｏｓｒａｍ）及びフィリップス会社は、それぞれにＵＮＩＳＨＡＰＥ（Ｕｎｉｖｅｒｓａｌ  Ｓｈａｐｅｄ  Ｌｉｇｈｔ  Ｗａｖｅｆｏｒｍ）ランプ照明技術及びＶｉｖｉｄ画像処理技術を開発した。前記２つの技術は、デジタル電流を利用してＤＭＤ及びカラーホイールと電球との同期変化を制御し、輝度を損失しない状況でカラーホイールに投射された光源の色を動態的に微調整して、投影画面の暗部を更に暗くさせて、投影画面のコントラスト及びグラデーションを向上する。
【０００４】
しかし、ハードウェアを変更しない場合、上記の２つの技術を別々に単独で使用する時、一般的にコントラストを１５％ぐらい向上できるので、部分のユーザの需要を満足し難い。
【発明の概要】
【発明が解決しようとする課題】
【０００５】
本発明の目的は、投影画面のコントラストを大幅に向上できるプロジェクターのコントラスト強化システム及びその強化方法を提供することである。
【課題を解決するための手段】
【０００６】
本発明に係るプロジェクターのコントラスト強化システムは、光源、色分離装置及び光シャッタを有するプロジェクターに用いられ、コントラストとは、前記プロジェクターが全白色の画面を投影する時の輝度と全黒色の画面を投影する時の輝度との比であり、前記光源から出射する光は、主に白光であり、且つ前記色分離装置を通した後、前記光シャッタによって前記プロジェクターのレンズに入射する光量をコントロールし、暗部及び明部を備える投影画面のグレースケールを検出するために用いられ、前記グレースケールは、暗部が全部の投影画面に占める百分率である検出モジュールと、投影画面のグレースケールが設定値より大きいか又は設定値と等しければ、前記プロジェクターをコントロールして光源の出力パワーを低減するコントロールモジュールと、光源の出力効率が低減されてから、光源の動作周波数を変調して、光源の非白色ウエーブ・バンドの利得を向上し、且つ色分離装置が出射する光を非白色光にさせるとともに、光シャッタを制御して、前記プロジェクターのレンズに入射する光量を減少させて、前記プロジェクターが全黒色の画面を投影する時の輝度を下げ、コントラストを向上する変調モジュールと、を備える。
【０００７】
本発明に係るプロジェクターのコントラスト強化方法は、光源、色分離装置及び光シャッタを有するプロジェクターに用いられ、コントラストとは、前記プロジェクターが全白色の画面を投影する時の輝度と全黒色の画面を投影する時の輝度との比であり、前記光源から出射する光は、主に白光であり、且つ前記色分離装置を通した後、前記光シャッタによって前記プロジェクターのレンズに入射する光量をコントロールし、暗部及び明部を備える投影画面のグレースケールを検出し、前記グレースケールが暗部が全部の投影画面に占める百分率であるステップと、投影画面のグレースケールが設定値より大きいか又は設定値と等しければ、光源の出力パワーを低減するステップと、光源の出力パワーが低減されてから、光源の動作周波数を変調し、光源の非白色ウエーブ・バンドの利得を向上し、白色ウエーブ・バンドの利得を低減して、色分離装置から出射する光を非白色光にさせるとともに、前記光シャッタを制御して、前記プロジェクターのレンズに入射する光量を減少させて、前記プロジェクターが全黒色の画面を投影する時の輝度を下げ、コントラストを向上するステップと、を備える。
【発明の効果】
【０００８】
従来の技術に比べて、本発明に係るプロジェクターのコントラストの強化システム及びその方法は、前記プロジェクターの出力パワーが低減されてから、前記プロジェクターの非白色ウエーブ・バンドの利得を向上し、白色ウエーブ・バンドの利得を下げることによって、暗い画面を投影する時、色分離装置が出射する大部分の光を非白色光にさせ、同時に、光シャッタの開口を縮小して、前記プロジェクターのレンズに入射する光量を減少させて、暗い画面の輝度が大幅に低減され、投影画面のコントラストを大幅に向上する。
【図面の簡単な説明】
【０００９】
【図１】本発明の実施形態に係るプロジェクターのコントラスト強化システムの構造を示すブロック図である。
【図２】図１に示したプロジェクターのコントラスト強化システムを使用する時の光源の波形図である。
【図３】図１に示したプロジェクターのコントラスト強化システムのコントラスト計算モジュールの計算を示す図である。
【図４】本発明の実施形態に係るプロジェクターのコントラスト強化方法を示すフローチャートである。
【発明を実施するための形態】
【００１０】
以下、図面を参照して、本発明の実施例について説明する。
【００１１】
図１を参照すると、本発明の実施例に係るプロジェクター１０のコントラスト強化システム１００は、標準モード及び節約モードの２種の動作モードを有するプロジェクター１０に用いられる。コントラストとは、前記プロジェクター１０が全白色の画面を投影する時の輝度と全黒色の画面を投影する時の輝度との比を指す。前記標準モードは、前記プロジェクター１０が規定の効率で動作するモードであり、前記節約モードは、前記プロジェクター１０の省エネルギーモードである。前記標準モード及び前記節約モードの概念は、以下の詳細な説明を参照してください。
【００１２】
前記プロジェクター１０は、光源と、色分離装置と、光シャッタと、レンズなどのイメージングデバイスを更に備える。前記光源から出射した光線は、前記色分離装置を通した後、前記光シャッタにより前記レンズに入射する光量をコントロールする。前記光源から出射した光線は、主に白光である。本実施例において、前記色分離装置は、カラーホイールであり、他の実施例において、前記色分離装置は、白光を多色の光に分離するデバイス（例えば、マルチカラーコーティングシート）であることもできる。
【００１３】
前記プロジェクターのコントラスト強化システム１００は、検出モジュール２０、コントロールモジュール３０及び変調モジュール４０を備える。
【００１４】
前記検出モジュール２０は、投影画面のグレースケールを検出するために用いられる。前記プロジェクター１０の投影画面は、暗部及び明部を備え、前記グレースケールは、暗部が全部の投影画面に占める百分率であり、即ち、グレースケールが大きければ大きいほど投影画面もさらに黒い。前記検出モジュール２０は、前記プロジェクター１０のデータプロセッサー（図示せず）に統合され、前記プロジェクター１０が画面を投影する場合、前記検出モジュール２０は、前記データプロセッサーにより投影画面のグレースケール値を獲得して、獲得したグレースケール値を設定値と比較する。本実施例において、前記設定値は、４０％である。前記標準モードは、グレースケール値が設定値より小さい時に採用するモードであり、前記節約モードは、グレースケール値が設定値より大きいか又は設定値と等しい時に採用するモードである。本実施例において、前記投影画面は、投影しようとする次のフレームの未投影画面であり、該未投影画面のパラメーター（例えば、グレースケール）は、前記データプロセッサーにより獲得することができる。前記検出モジュール２０は、前記未投影画面のグレースケールを検出し、該未投影画面を投影する時、該未投影画面のグレースケールに基づいて標準モード又は節約モードをスターティングするかを判断する。他の実施例において、投影画面は、投影している現時の投影画面であり、この場合、前記検出モジュール２０は、現時の投影画面のグレースケールを検出する。前記プロジェクター１０は、まず標準モードで現時の投影画面を投影し、それから現時の投影画面を投影する過程で、前記検出モジュール２０が検出した該現時の投影画面のグレースケールに基づいて、節約モードをスターティングするか又は続いて標準モードを維持して現時の投影画面を投影するかを判断する。
【００１５】
投影画面のグレースケールが前記設定値より大きいか又は設定値と等しければ、前記コントロールモジュール３０は、前記プロジェクター１０をコントロールして節約モードをスターティングして、光源の出力パワーを低減する。本実施例において、前記プロジェクター１０が標準モードから節約モードに切替される場合、光源の出力パワーは、１８０Ｗから１６０Ｗまで下げる。投影画面のグレースケールが前記設定値より小さければ、前記コントロールモジュール３０は、光源の高い出力パワーを保持し、前記プロジェクター１０は、標準モードで動作する。それと同時に、前記コントロールモジュール３０は、前記光シャッタを制御して、前記プロジェクター１０のレンズに入射する光量を増大させて、全白色の画面を投影する。
【００１６】
前記プロジェクター１０が節約モードをスターティングし、出力パワーが低減される場合、前記変調モジュール４０は、光源の動作周波数を変調し、光源の非白色ウエーブ・バンドの利得を向上する（即ち、白色ウエーブ・バンドの利得を下げる）。従って、色分離装置から出射する大部分の光は、非白色光である。それと同時に、前記変調モジュール４０は、光シャッタ構造の開口を縮小して、前記プロジェクター１０のレンズに入射する光量を減少させ、前記プロジェクター１０が全黒色の画面を投影する時の輝度を下げて、コントラストを向上する。本実施例において、前記変調モジュール４０は、テキサスインスツルメンツ（ＩＴ）会社のダイナミックブラック（Ｄｙｎａｍｉｃｂｌａｃｋ）技術、オスラム会社のＵＮＩＳＨＡＰＥ（Ｕｎｉｖｅｒｓａｌ  Ｓｈａｐｅｄ  Ｌｉｇｈｔ  Ｗａｖｅｆｏｒｍ）ランプ照明技術又はフィリップス会社のＶｉｖｉｄ画像処理技術を応用する。ダイナミックブラック技術とは、投影画面のグレースケールが設定値より大きいか又は設定値と等しければ、光シャッタの開口を縮小して、プロジェクター１０のレンズに入射する光量を減少させ、投影画面のグレースケールが設定値より小さければ、光シャッタの開口を増大して、プロジェクター１０のレンズに入射する光量を増加させて、投影画面の明部が更に明るくなり、投影画面の暗部が更に暗くなる。従来の技術によるテストに基づいて、プロジェクター１０が前記ダイナミックブラック技術を単独に使用する場合、１４％ぐらいのコントラストを向上することができる。前記ＵＮＩＳＨＡＰＥランプ照明技術又はＶｉｖｉｄ画像処理技術とは、光源のパワーが下がり且つ安定する場合、非白色ウエーブ・バンドの利得を向上する（即ち、白色ウエーブ・バンドの出射量を下げる）ことによって、光源から出射する大部分の光を非白色光にする。白色光に比べて、非白色光は、画面の輝度を向上させる効果が低いので、前記プロジェクター１０が節約モジュールに切替される場合、光源の出力パワーが低くなり、且つ前記色分離装置によってレンズに入射する大部分の光が非白色光であり、白色光を利用して投射する画面と比較すると、非白色光を利用して投射する画面の暗部の輝度は、更に暗くなる。暗部（例えば、全黒色画面）の輝度が下がり、明部（例えば、全白色画面）の輝度が不変であるとすると、投影画面のコントラストが向上する。本実施例において、前記変調モジュール４０は、光源の赤色光及び青色光の利得を向上する。
【００１７】
前記変調モジュール４０が前記２つの技術で全黒色画面を投影する場合、光源の動作周波数を変調し、非白色光の利得を向上することによって、色分離装置を通した大部分の光を非白色光にさせ、それと同時に、光シャッタから出射する光量を減少することによって、プロジェクター１０が投影する全黒色画面の輝度をいっそう低減して、コントラストを大幅に向上する。図２に示すように、前記プロジェクターのコントラスト強化システムを使用して全黒色画面を投影する場合、非白色ウエーブ・バンドの利得は、白色ウエーブ・バンドの利得よりはるかに大きいので、全黒色画面の輝度が大幅に低減される。従って、５０％ぐらいのコントラストを向上することができる。
【００１８】
投影画面のコントラスト値を更に便利に観察するために、前記プロジェクターのコントラスト強化システム１００は、コントラスト計算モジュール５０及び表示モジュール６０を更に備える。前記コントラスト計算モジュール５０は、前記全白色画面及び前記全黒色画面の輝度値に基づいて投影画面のコントラストを計算する。前記全白色画面は、前記コントロールモジュール３０が光源の出力パワーを低減する前に、光シャッタを制御してレンズに入射する光量を最大にする時の投影画面である。図３に示すように、本実施例において、前記プロジェクター１０は、まず全白色画面（Ｒ、Ｇ、Ｂ＝２５５、２５５、２５５）を投影して、画面に均一に分布されたＬ１〜Ｌ９の９つの点の輝度を測定し、それから、全黒色画面（Ｒ、Ｇ、Ｂ＝０、０、０）を投影して、前記Ｌ１〜Ｌ９の９つの点の輝度を測定し、最後に、以下の式１により投影画面のコントラストを計算する。
【００１９】
式１：
｛(Ｌ１＋Ｌ２＋Ｌ３＋Ｌ４＋Ｌ５＋Ｌ６＋Ｌ７＋Ｌ８＋Ｌ９) /９｝/｛(Ｌ１＋Ｌ２＋Ｌ３＋Ｌ４＋Ｌ５＋Ｌ６＋Ｌ７＋Ｌ８＋Ｌ９) /９｝
【００２０】
前記表示モジュール６０は、前記コントラスト計算モジュール５０が計算したコントラストを表示するために用いられる。本実施例において、前記コントラストは、前記プロジェクター１０のスクリーンに表示される。
【００２１】
図４を参照すると、本発明の実施例に係るプロジェクターのコントラスト強化方法は、標準モード及び節約モードを有する前記プロジェクター１０に用いられ、前記プロジェクター１０が投影する画面のコントラストを向上し、以下のステップ２０１〜ステップ２０９を備える。
【００２２】
ステップＳ２０１において、投影画面のグレースケールを検出する。投影画面は、暗部及び明部を備え、前記グレースケールは、暗部が全部の投影画面に占める百分率である。前記プロジェクター１０内のデータプロセッサーによって、前記投影画面のグレースケール値を獲得し、且つ獲得したグレースケール値を設定値と比較する。前記標準モードでは、グレースケール値が設定値より小さく、前記節約モードでは、グレースケール値が設定値より大きいか又は設定値と等しい。本実施例において、前記プロジェクター１０の投影しようとする次のフレームの未投影画面のグレースケールを検出し、該未投影画面のパラメーター（例えば、グレースケールである）は、前記データプロセッサーにより獲得することができる。他の実施例において、もう投影した現時の投影画面のグレースケールを検出することもできる。未投影画面のパラメーターを検出する場合、該未投影画面を投影し始める時に、該未投影画面のグレースケールに基づいて標準モード又は節約モードをスターティングするかを判断する。現時の投影画面のグレースケールを検出する場合、まず標準モードで現時の投影画面を投影し、それから、現時の投影画面を投影する過程で、検出した現時の投影画面のグレースケールに基づいて節約モードをスターティングするか又は続いて元の標準モードを維持して現時の投影画面を投影するかを判断する。
【００２３】
ステップＳ２０３において、投影画面のグレースケールが前記設定値より大きいか又は設定値と等しければ、節約モードをスターティングし且つ光源の出力パワーを低減する。本実施例において、前記プロジェクター１０が標準モードから節約モードに切替される場合、光源の出力パワーは、１８０Ｗから１６０Ｗまで下げる。投影画面のグレースケールが前記設定値より小さければ、標準モードをスターティングし、光源の高い出力パワーを保持し、前記プロジェクター１０を標準モードで動作させ、それと同時に、光シャッタを制御して、前記プロジェクター１０のレンズに入射する光量を増大させて、全白色の画面を投影する。
【００２４】
ステップＳ２０５において、前記プロジェクター１０が節約モードをスターティングし、出力パワーが低減されてから、光源の動作周波数を変調することによって、光源の非白色ウエーブ・バンドの利得を向上させ（即ち、白色ウエーブ・バンドの利得を下げる）、色分離装置から出射する大部分の光を非白色光にさせ、それと同時に、光シャッタの開口を縮小して、前記プロジェクター１０のレンズに入射する光量を減少させ、前記プロジェクター１０が全黒色の画面を投影する時の輝度を下げて、コントラストを向上する。本実施例において、前記プロジェクター１０は、テキサスインスツルメンツ（ＩＴ）会社のダイナミックブラック（Ｄｙｎａｍｉｃｂｌａｃｋ）技術、オスラム会社のＵＮＩＳＨＡＰＥ（Ｕｎｉｖｅｒｓａｌ  Ｓｈａｐｅｄ  Ｌｉｇｈｔ  Ｗａｖｅｆｏｒｍ）ランプ照明技術又はフィリップス会社のＶｉｖｉｄ画像処理技術を応用する。ダイナミックブラック技術とは、投影画面のグレースケールが設定値より大きいか又は設定値と等しければ、光シャッタ構造の開口を縮小させて、プロジェクター１０のレンズに入射する光量を減少させ、投影画面のグレースケールが設定値より小さければ、光シャッタの開口を増大して、プロジェクター１０のレンズに入射する光量を増加させて、投影画面の明部が更に明るくなり、投影画面の暗部が更に暗くなる。テストに基づいて、プロジェクター１０が前記ダイナミックブラック技術を単独に使用する場合、１４％ぐらいのコントラストを向上することができる。前記ＵＮＩＳＨＡＰＥランプ照明技術又はＶｉｖｉｄ画像処理技術とは、光源の出力パワーが安定する場合、非白色ウエーブ・バンドの利得を向上させ（即ち、白色ウエーブ・バンドの出射量を下げる）、光源から出射する大部分の光を非白色光にする。白色光に比べて、非白色光は、画面の輝度を向上させる効果が低いので、前記プロジェクター１０が節約モードに切替される場合、光源の出力パワーが低くなり、且つ前記色分離装置によってレンズに入射する大部分の光が非白色光であり、白色光を利用して投射する画面と比較すると、非白色光を利用して投射する画面の暗部の輝度は、更に暗くなる。暗部（例えば、全黒色画面）の輝度が下がり、明部（例えば、全白色画面）の輝度が不変であるとすると、投影画面のコントラストが向上する。本実施例において、プロジェクター１０は、光源の赤色光及び青色光の利得を向上する。
【００２５】
ステップＳ２０７において、前記全白色画面及び前記全黒色画面の輝度値に基づいて投影画面のコントラストを計算する。前記全白色画面は、前記プロジェクター１０が光源の出力パワーを低減する前に、光シャッタを制御してレンズに入射する光量を最大にする時の投影画面である。前記全黒色画面は、前記プロジェクター１０が光源の出力パワーを低減してから、光シャッタを制御してレンズに入射する光量を最小にして、且つ色分離装置から出射する光が非白色光である際の投影画面である。本実施例において、前記プロジェクター１０は、まず全白色画面（Ｒ、Ｇ、Ｂ＝２５５、２５５、２５５）を投影して、画面に均一に分布されたＬ１〜Ｌ９の９つの点の輝度を測定し、それから、全黒色画面（Ｒ、Ｇ、Ｂ＝０、０、０）を投影して、前記Ｌ１〜Ｌ９の９つの点の輝度を測定し、最後に、以上の式１により投影画面のコントラストを計算する。
【００２６】
ステップＳ２０９において、計算したコントラストを表示する。
【００２７】
本発明に係るプロジェクターのコントラスト強化システム１００及びその強化方法は、前記プロジェクター１０の出力パワーが低減されてから、前記プロジェクター１０の非白色ウエーブ・バンドの利得を向上し、白色ウエーブ・バンドの利得を下げることによって、暗い画面を投影する時、色分離装置が出射する大部分の光を非白色光にさせ、同時に、光シャッタの開口を縮小して、前記プロジェクター１０のレンズに入射する光量を減少させて、暗い画面の輝度が大幅に低減され、投影画面のコントラストを大幅に向上する。
【符号の説明】
【００２８】
１００  プロジェクターのコントラストの強化システム
１０  プロジェクター
２０  検出モジュール
３０  コントロールモジュール
４０  変調モジュール
５０  コントラスト計算モジュール
６０  表示モジュール
【図１】
2011227487.tif 000003
【図２】
2011227487.tif 000004
【図３】
2011227487.tif 000005
【図４】
2011227487.tif 000006